(57)【要約】【課題】  通信事業者やユーザの負担を小さくし、比較的簡単な構成、かつトラフィックの増加を最小限に抑えて通信用ソフトウェアを配信する。【解決手段】  基地局２は、当該エリア内に常時送信している待ち受け動作用の報知情報に無線通信端末１が内蔵するソフトウェアを変更するための情報を挿入して送信すると共に該報知情報とは異なる周波数を用いて無線通信端末１が内蔵するソフトウェアを変更するためのソフト情報を常時繰り返し配信する。無線通信端末１は、基地局２から受信した報知情報に含まれている前記ソフトウェアを変更するための情報を抽出し、該抽出した情報中に当該無線通信端末が内蔵するソフトウェアモジュールに関連する情報が存在しかつ新バージョンのとき、前記ソフト情報を配信している周波数の受信に遷移し、該受信したソフト情報を元に当該無線通信端末内蔵のソフトウェアモジュールをバージョンアップする。【選択図】  図１
2005251028.tif 000002
【特許請求の範囲】
【請求項１】
無線システムネットワークからアクセスできるデータベースの機能を持つソフトウェアモジュールサーバと、該無線システムネットワークと接続された基地局と、前記ソフトウェアモジュールサーバが提供するソフトウェアモジュールを内蔵し、該ソフトウェアによって前記基地局と無線通信を行う無線通信端末を含む無線システムにおける前記無線通信端末のソフトウェアを変更する方法であって、
前記基地局は、当該基地局エリア内に常時送信している待ち受け動作を行うための報知情報の中に、前記無線通信端末に内蔵されているソフトウェアを変更するための情報を挿入して送信するとともに、前記報知情報とは異なる周波数を用いて前記無線通信端末に内蔵されているソフトウェアを変更するためのソフト情報を常時繰り返し配信し、
前記無線通信端末は、前記基地局が制御するエリア内において受信した前記報知情報に含まれている前記ソフトウェアを変更するための情報を抽出し、該抽出した情報の中に、当該無線通信端末が内蔵するソフトウェアモジュールに関連する情報が存在する場合には、該情報中のソフトウェアバージョンと前記無線通信端末に現時点で内蔵されているソフトウェアバージョンとを比較し、前記抽出した情報中のソフトウェアバージョンの方が新しいバージョンであった場合には、前記ソフト情報を配信している周波数の受信に遷移して、前記ソフトウェアを変更するためのソフト情報を受信し、該受信したソフト情報を元に、当該無線通信端末が内蔵しているソフトウェアモジュールのバージョンアップを実行する
ことを特徴とする携帯無線通信端末のソフトウェア変更方法。
【請求項２】
前記基地局から配信される前記ソフトウェアを変更するためのソフト情報を、適宜の個数に分割して配信することを特徴とする請求項１に記載の携帯無線通信端末のソフトウェア変更方法。
【請求項３】
前記基地局から配信される前記ソフトウェアを変更するためのソフト情報を、適宜の個数に分割するとともに、該分割したソフト情報の間に待受用情報を周期的に挿入して配信することを特徴とする請求項１に記載の携帯無線通信端末のソフトウェア変更方法。
【請求項４】
前記無線通信端末が、前記ソフトウェアを変更するためのソフト情報を受信中に受信した前記待受用情報に、当該無線通信端末に対する音声着信やパケット着信の通知が含まれているとき、それまでに受信した前記ソフト情報を保持して該ソフト情報の受信を一時中断し、前記音声着信やパケット着信に対する応答を優先的に開始し、前記音声通信やパケット通信が終了した後、前記ソフト情報の受信を再開して残りのソフト情報を受信することを特徴とする請求項３に記載の携帯無線通信端末のソフトウェア変更方法。
【請求項５】
無線システムネットワークからアクセスできるデータベースの機能を持つソフトウェアモジュールサーバと、該無線システムネットワークと接続された基地局と、前記ソフトウェアモジュールサーバが提供するソフトウェアモジュールを内蔵し、該ソフトウェアによって前記基地局と無線通信を行う無線通信端末を含む無線システムにおいて、
前記基地局は、当該基地局エリア内に常時送信している待ち受け動作を行うための報知情報の中に、前記無線通信端末に内蔵されているソフトウェアを変更するための情報を挿入して送信する手段と、前記報知情報とは異なる周波数を用いて前記無線通信端末に内蔵されているソフトウェアを変更するためのソフト情報を常時繰り返し配信する手段を備えており、
前記無線通信端末は、前記基地局が制御するエリア内において受信した前記報知情報に含まれている前記ソフトウェアを変更するための情報を抽出する手段と、該抽出した情報の中に当該無線通信端末が内蔵するソフトウェアモジュールに関連する情報が存在するときに、該情報中のソフトウェアバージョンと当該無線通信端末に現時点で内蔵されているソフトウェアバージョンとを比較する手段と、該比較手段による比較の結果、前記抽出した情報中のソフトウェアバージョンの方が新しいバージョンであるとき、前記ソフト情報を配信している周波数の受信に遷移して前記ソフトウェアを変更するためのソフト情報を受信する手段と、該受信したソフト情報を元に、当該無線通信端末に内蔵されているソフトウェアモジュールのバージョンアップを実行する手段を備えている
ことを特徴とする携帯無線通信端末のソフトウェア変更システム。
【請求項６】
前記基地局から送信されるソフトウェアを変更するための情報には、前記基地局が前記報知情報とは異なる周波数を用いて配信している前記ソフトウェアを変更するためのソフト情報の、メーカ名、機種名、ソフトウェアバージョン、該ソフト情報を配信している前記周波数、および該ソフト情報を配信している前記周波数によって送信されるデータの構成が含まれていることを特徴とする請求項５に記載の携帯無線通信端末のソフトウェア変更システム。
【請求項７】
前記基地局から常時繰り返し配信される前記ソフトウェアを変更するためのソフト情報は、適宜の個数に分割されており、該分割されたソフト情報の間に待受用情報が周期的に挿入されていることを特徴とする請求項５または６に記載の携帯無線通信端末のソフトウェア変更システム。
【請求項８】
前記基地局は、前記分割されたソフト情報の間に挿入される前記待受用情報の周期を変更する手段と、該変更に際して前記送信するデータ構成の変更を通知する情報を追加して挿入する手段を備えていることを特徴とする請求項７に記載の携帯無線通信端末のソフトウェア変更システム。
【請求項９】
前記無線通信端末は、前記ソフトウェアを変更するためのソフト情報を受信中に受信した前記待受用情報に、当該無線通信端末に対する音声着信やパケット着信の通知が含まれていることを検出したとき、それまでに受信した前記ソフト情報を保持して該ソフト情報の受信を一時中断する手段と、前記音声着信やパケット着信に対する応答を優先的に開始する手段と、前記音声通信やパケット通信が終了した後、前記ソフト情報の受信を再開して残りのソフト情報を受信し、前記分割されたソフト情報を全て受信した後、当該無線通信端末に内蔵されているソフトウェアモジュールのバージョンアップを実行する手段を備えていることを特徴とする請求項７〜９のいずれかに記載の携帯無線通信端末のソフトウェア変更システム。
【請求項１０】
無線システムネットワークからアクセスできるデータベースの機能を持つソフトウェアモジュールサーバと、該無線システムネットワークと接続された基地局と、前記ソフトウェアモジュールサーバが提供するソフトウェアモジュールを内蔵し、該ソフトウェアによって前記基地局と無線通信を行う無線通信端末を含む無線システムに用いられる前記基地局であって、
当該基地局エリア内に常時送信している待ち受け動作を行うための報知情報の中に、前記無線通信端末に内蔵されているソフトウェアを変更するための情報を挿入して送信する手段と、前記報知情報とは異なる周波数を用いて前記無線通信端末に内蔵されているソフトウェアを変更するためのソフト情報を常時繰り返し配信する手段を備えていることを特徴とする基地局。
【請求項１１】
常時繰り返し配信される前記ソフトウェアを変更するためのソフト情報を、適宜の個数に分割するとともに、該分割したソフト情報の間に待受用情報を周期的に挿入して送信する手段を備えていることを特徴とする請求項１０に記載の基地局。
【請求項１２】
前記分割されたソフト情報の間に挿入される前記待受用情報の周期を変更する手段と、該変更に際して前記送信するデータ構成の変更を通知する情報を前記分割されたソフト情報の間に追加挿入する手段を備えていることを特徴とする請求項１２に記載の基地局。
【請求項１３】
無線システムネットワークからアクセスできるデータベースの機能を持つソフトウェアモジュールサーバと、該無線システムネットワークと接続されるとともに、そのエリア内の無線通信端末に対して待ち受け動作を行うために常時送信している報知情報の中に、前記無線通信端末に内蔵されているソフトウェアを変更するための情報を挿入して送信する手段および、前記報知情報とは異なる周波数を用いて前記無線通信端末に内蔵されているソフトウェアを変更するためのソフト情報を常時繰り返し配信する手段を備えた基地局と、前記ソフトウェアモジュールサーバが提供するソフトウェアモジュールを内蔵し、該ソフトウェアによって前記基地局と無線通信を行う無線通信端末を含む無線システムに用いられる前記無線通信端末であって、
前記基地局が制御するエリア内において該基地局から受信した前記報知情報に含まれている前記ソフトウェアを変更するための情報を抽出する手段と、該抽出した情報の中に当該無線通信端末が内蔵するソフトウェアモジュールに関連する情報が存在するときに、該情報中のソフトウェアバージョンと当該無線通信端末に現時点で内蔵されているソフトウェアバージョンとを比較する手段と、該比較手段による比較の結果、前記抽出した情報中のソフトウェアバージョンの方が新しいバージョンであるとき、前記ソフト情報を配信している周波数の受信に遷移して前記ソフトウェアを変更するためのソフト情報を受信する手段と、該受信したソフト情報を元に、当該無線通信端末に内蔵されているソフトウェアモジュールのバージョンアップを実行する手段を備えていることを特徴とする携帯無線通信端末。
【請求項１４】
前記基地局から常時繰り返し配信される前記ソフトウェアを変更するためのソフト情報は、適宜の個数に分割され、該分割されたソフト情報の間に待受用情報が周期的に挿入されており、前記無線通信端末は、前記ソフトウェアを変更するためのソフト情報を受信中に受信した前記待受用情報に、当該無線通信端末に対する音声着信やパケット着信の通知が含まれていることを検出したとき、それまでに受信した前記ソフト情報を保持して該ソフト情報の受信を一時中断する手段と、前記音声着信やパケット着信に対する応答を優先的に開始する手段と、前記音声通信やパケット通信が終了した後、前記ソフト情報の受信を再開して残りのソフト情報を受信し、前記分割されたソフト情報を全て受信した後、当該無線通信端末に内蔵されているソフトウェアモジュールのバージョンアップを実行する手段を備えていることを特徴とする請求項１３に記載の携帯無線通信端末。
【発明の詳細な説明】
【技術分野】
【０００１】
本発明は、無線基地局を利用して無線通信を可能とする携帯電話などの通信端末へ通信用ソフトウェアを配信する技術に関する。
【背景技術】
【０００２】
携帯無線通信端末の変復調器、シンセサイザ、音声コーデック、通信プロトコル等の機能を、例えばＤＳＰ（Digital Signal Processor）を利用してソフトウェアモジュールで実現している場合において、ソフトウェアの変更による無線通信端末のバージョンアップ、機能変更、機能追加などが生じた際に、更新するソフトウェア情報を、無線基地局を介して送信することにより携帯無線通信端末内のソフトウェアの書き換えを行う方法が、特許文献１〜２等に記載されている。
【０００３】
例えば特許文献１では、基地局から不特定の無線通信端末に対して位置登録のための情報あるいは制御情報等を通知する専用のチャネルである報知チャネルを利用し、この報知チャネルを用いて通知する制御情報の中に更新するソフトウェア情報を付加する形で無線通信端末に配信する構成となっている。
【０００４】
具体的には、無線通信端末が利用可能な少なくとも１つのソフトウェアモジュールがサーバ装置上に保持されており、これらのソフトウェアモジュールがサーバ装置からネットワークを介して基地局に送信される。基地局では、前記サーバ装置から受信したソフトウェアモジュールのデータを専用の無線チャネルである報知チャネルを利用して報知フレームとして周期的に繰り返し前記無線通信端末に送信する。無線通信端末では、報知チャネルを介して前記基地局から送信される報知フレームの情報を受信してそれに含まれるソフトウェアモジュールを抽出し、該抽出したソフトウェアモジュールによって当該無線通信端末に備わったソフトウェアを書き換えている。
【０００５】
また、特許文献２では、ソフトウェアをダウンロードするためのダウンロードチャネルを送信するダウンロード基地局と、前記ダウンロードチャネルに関する情報を放送するためのブロードキャストチャネルを送信するブロードキャスト基地局と、ダウンロードチャネルによりダウンロードしたソフトウェアを実行する機能を有する無線端末とを含み、前記無線端末は、前記ブロードキャストチャネルにアクセスして、所望のソフトウェアをダウンロードするダウンロードチャネルに関する情報を取得し、該取得したダウンロードチャネルに関する情報に基づいて前記ダウンロードチャネルにアクセスして、所望のソフトウェアを自端末にダウンロードしている。
【０００６】
【特許文献１】特開２００１−４３０８７号公報
【特許文献２】特開２００１−６１１８６号公報
【発明の開示】
【発明が解決しようとする課題】
【０００７】
特許文献１に記載の方法によれば、報知チャネルを利用して無線通信端末が利用するソフトウェアモジュールの転送を行うので、基地局側の１回の送信で多数の無線通信端末のソフトウェアを同時に書き換えることができ、また、データリンクを確立することなしにソフトウェアモジュールが転送されるため、利用者は待ち受け中にソフトウェアモジュールの書き換えを行うことができるので、ソフトウェアを提供する事業者においてはソフトウェアモジュールの修正や機能追加時等の負担が軽減され、また、利用者においては無線通信端末の機能変更を簡易に実現できるが、特許文献１に記載の方法では、待ち受け動作用の周波数でしかソフトウェア情報を配信することができず、また、報知チャネルの中にソフトウェア情報を付加しているために、待ち受け動作用の周波数のトラフィックが増加してしまうという問題がある。
【０００８】
また、特許文献２に記載の方法では、ダウンロードチャネルに関する情報を放送するためのブロードキャストチャネルを送信するための専用のブロードキャスト基地局を設ける必要があり、また無線端末には、ダウンロードチャネルに関する情報を取得するために前記ブロードキャスト基地局にアクセスするために必要な通信手段を予め装備しなければならず、構成が複雑になるという問題がある。
【０００９】
本発明の目的は、上記問題点に鑑み、無線基地局を利用して通信端末へソフトウェアを配信する場合の通信事業者やユーザの負担を小さくするとともに、比較的簡単な構成、かつトラフィックの増加を最小限に抑えて通信端末へのソフトウェア配信を実現する手段を提供することにある。
【課題を解決するための手段】
【００１０】
本発明の無線通信端末のソフトウェア変更方法は、無線システムネットワークからアクセスできるデータベースの機能を持つソフトウェアモジュールサーバと、該無線システムネットワークと接続された基地局と、前記ソフトウェアモジュールサーバが提供するソフトウェアモジュールを内蔵し、該ソフトウェアによって前記基地局と無線通信を行う無線通信端末を含む無線システムにおいて、前記基地局は、当該基地局エリア内に常時送信している待ち受け動作を行うための報知情報の中に、前記無線通信端末に内蔵されているソフトウェアを変更するための情報を挿入して送信するとともに、前記報知情報とは異なる周波数を用いて前記無線通信端末に内蔵されているソフトウェアを変更するためのソフト情報を常時繰り返し配信し、前記無線通信端末は、前記基地局が制御するエリア内において受信した前記報知情報に含まれている前記ソフトウェアを変更するための情報を抽出し、該抽出した情報の中に、当該無線通信端末が内蔵するソフトウェアモジュールに関連する情報が存在する場合には、該情報中のソフトウェアバージョンと前記無線通信端末に現時点で内蔵されているソフトウェアバージョンとを比較し、前記抽出した情報中のソフトウェアバージョンの方が新しいバージョンであった場合には、前記ソフト情報を配信している周波数の受信に遷移して、前記ソフトウェアを変更するためのソフト情報を受信し、該受信したソフト情報を元に、当該無線通信端末のソフトウェアモジュールのバージョンアップを実行することを特徴とする。
【００１１】
また、本発明の無線通信端末のソフトウェア変更システムは、無線システムネットワークからアクセスできるデータベースの機能を持つソフトウェアモジュールサーバと、該無線システムネットワークと接続された基地局と、前記ソフトウェアモジュールサーバが提供するソフトウェアモジュールを内蔵し、該ソフトウェアによって前記基地局と無線通信を行う無線通信端末を含む無線システムにおいて、前記基地局は、当該基地局エリア内に常時送信している待ち受け動作を行うための報知情報の中に、前記無線通信端末に内蔵されているソフトウェアを変更するための情報を挿入して送信する手段と、前記報知情報とは異なる周波数を用いて前記無線通信端末に内蔵されているソフトウェアを変更するためのソフト情報を常時繰り返し配信する手段を備えており、前記無線通信端末は、前記基地局が制御するエリア内において受信した前記報知情報に含まれている前記ソフトウェアを変更するための情報を抽出する手段と、該抽出した情報の中に当該無線通信端末が内蔵するソフトウェアモジュールに関連する情報が存在するときに、該情報中のソフトウェアバージョンと当該無線通信端末に現時点で内蔵されているソフトウェアバージョンとを比較する手段と、該比較手段による比較の結果、前記抽出した情報中のソフトウェアバージョンの方が新しいバージョンであるとき、前記ソフト情報を配信している周波数の受信に遷移して前記ソフトウェアを変更するためのソフト情報を受信する手段と、該受信したソフト情報を元に、当該無線通信端末のソフトウェアモジュールのバージョンアップを実行する手段を備えていることを特徴とする。
【００１２】
また、本発明の基地局は、当該基地局エリア内に常時送信している待ち受け動作を行うための報知情報の中に、前記無線通信端末に内蔵されているソフトウェアを変更するための情報を挿入して送信する手段と、前記報知情報とは異なる周波数を用いて前記無線通信端末に内蔵されているソフトウェアを変更するためのソフト情報を常時繰り返し配信する手段を備えていることを特徴とする。
【００１３】
また、本発明の無線通信端末は、前記基地局が制御するエリア内において該基地局から受信した前記報知情報に含まれている前記ソフトウェアを変更するための情報を抽出する手段と、該抽出した情報の中に当該無線通信端末が内蔵するソフトウェアモジュールに関連する情報が存在するときに、該情報中のソフトウェアバージョンと当該無線通信端末に現時点で内蔵されているソフトウェアバージョンとを比較する手段と、該比較手段による比較の結果、前記抽出した情報中のソフトウェアバージョンの方が新しいバージョンであるとき、前記ソフト情報を配信している周波数の受信に遷移して前記ソフトウェアを変更するためのソフト情報を受信する手段と、該受信したソフト情報を元に、当該無線通信端末のソフトウェアモジュールのバージョンアップを実行する手段を備えていることを特徴とする。
【発明の効果】
【００１４】
本発明によれば、実際にソフトウェアを変更するためのソフト情報は通常の待ち受け動作では使用しない周波数帯を使用して当該基地局エリア内に常時繰り返し配信するとともに、待ち受け動作を行うための報知情報の中には、無線通信端末に内蔵されているソフトウェアを変更するための情報のみを含ませているので、基地局から同時に複数の通信端末に対しソフト情報を配信することができるとともに、他の通信端末の待ち受け動作に殆ど影響を与えることなくソフトウェアを変更するためのソフト情報を配信することが可能となる。
【００１５】
また、ダウンロードチャネルに関する情報を放送するためのブロードキャストチャネルを送信するための専用のブロードキャスト基地局を設ける必要はなく、通常の待ち受け動作を行うための報知情報の中にダウンロードチャネルに関する情報を含ませているために、無線通信端末に、ダウンロードチャネルに関する情報を送信するブロードキャスト基地局にアクセスするための特別の通信手段を備える必要もない。
【発明を実施するための最良の形態】
【００１６】
図１は、本発明の実施形態を示すネットワーク構成図である。
【００１７】
本実施形態では、無線によって音声通信やパケット通信を可能とする携帯電話等の通信端末１ａ〜１ｄと、これら複数の通信端末１ａ〜１ｄと無線による通信が可能な基地局２ａ〜２ｂと、複数の基地局２ａ〜２ｂを制御する無線システムネットワーク３ａと、無線システムネットワーク３ａからアクセスできるデータベースの機能を持つソフトウェアモジュールサーバ４ａとで構成される。
【００１８】
図２は、本実施形態の動作を示すシーケンスチャートである。以下、このシーケンスチャートを参照して、図１に示すＡ社通信端末１ａのソフトウェアを変更する場合を例にとって本実施形態の動作について説明する。
【００１９】
Ａ社通信端末１ａは基地局２ａが制御するエリア７ａの中に入ったとき、もしくは、エリア７ａ内でＡ社通信端末１ａの電源をＯＮしたとき、基地局２ａが常時送信しているエリア７ａ内で待ち受け動作を行うための報知情報を受信する。Ａ社通信端末１ａは、受信した報知情報を元に待ち受け動作の可不可を判断し、可能であれば基地局２ａに対し位置登録を行う。
【００２０】
また、この報知情報には、通信端末に内蔵されているソフトウェアを変更するための情報（以降、この情報をソフトＣＨ情報８ａと呼ぶ）が含まれている。このソフトＣＨ情報８ａは、基地局２ａが待ち受け動作する周波数とは別の周波数であるソフトＣＨ５ａを用いて各社、各機種のソフトウェアを変更するためのソフト情報６ａ及び、そのソフト情報６ａを配信しているソフトＣＨ５ａの構成に関する情報が含まれている。
【００２１】
図３は、本実施形態の報知情報に含まれているソフトＣＨ情報８ａの構成例を示している。ソフトＣＨ情報８ａは、図３に示すように、基地局２ａがソフトＣＨ５ａを用いて配信しているソフト情報６ａのメーカ名、機種名、ソフトウェアバージョン、ソフトＣＨ５ａの周波数、およびソフトＣＨ５ａのデータ構成によって構成されている。また基地局２ａは、常にソフトＣＨ５ａを使用してソフト情報６ａを繰り返し配信し続けている。
【００２２】
Ａ社通信端末１ａは基地局２ａからの報知情報を受信して位置登録を行うとともに、報知情報に含まれているソフトＣＨ情報８ａを抽出して解析し、Ａ社通信端末１ａのソフト情報６ａの有無を確認する。ソフトＣＨ情報８ａにＡ社通信端末１ａのソフト情報６ａがない場合は、通常の待ち受け動作へ遷移する。ソフトＣＨ情報８ａにＡ社通信端末１ａのソフト情報６ａがある場合には、ソフト情報６ａ中のソフトウェアバージョンを現時点でＡ社通信端末１ａにインストールされているソフトウェアバージョンと比較し、現時点でＡ社通信端末１ａにインストールされているソフトウェアバージョンが、ソフト情報６ａ中のソフトウェアバージョンと同じである場合には、通常の待ち受け動作へ遷移する。
【００２３】
一方、ソフト情報６ａ中のソフトウェアバージョンの方が新しいバージョンであった場合には、Ａ社通信端末１ａのソフト情報６ａの受信を始める。まず、Ａ社通信端末１ａはソフト情報６ａの受信を開始する前に、基地局２ａにソフトＣＨ５ａへ遷移することを通知する。そして、Ａ社通信端末１ａは抽出したソフトＣＨ情報８ａに従って、通常の待ち受け動作を行う周波数からソフトＣＨ５ａを受信する周波数へ遷移し、基地局２ａがソフトＣＨ５ａを使用して常時配信しているソフト情報６ａを受信する。
【００２４】
Ａ社通信端末１ａはソフトＣＨ５ａでソフト情報６ａの全てを基地局２ａから受信したら、通常の待ち受け動作を行う周波数に遷移するとともに、通常の待ち受け動作を行う周波数に遷移したことを基地局２ａに通知する。その後、Ａ社通信端末１ａは受信したソフト情報６ａを元にＡ社通信端末１ａのソフトウェアモジュールのバージョンアップを実行し、バージョンアップが完了したら通常の待ち受け動作に遷移する。
【００２５】
図４は、本実施形態におけるソフトＣＨ５ａの構成例を示している。ソフトＣＨ５ａは、ソフト情報６ａと基地局２ａから音声着信やパケット着信を通知するための待受用情報９ａから構成されている。また、ソフトＣＨ５ａに含まれるソフト情報６ａは、バージョンアップに必要なデータの大きさによって、適宜分割されて配信される。Ａ社通信端末１ａは、報知情報と一緒に受信したソフトＣＨ情報８ａから、ソフト情報６ａの受信開始前にこのソフトＣＨ５ａのデータ構成を認識することができる。
【００２６】
図４の例では、ソフト情報６ａを１０個に分割していることを示している。分割されたソフト情報６ａ１／１０〜ソフト情報６ａ１０／１０の全てに、ソフト情報６ａが何分割しているかという情報と、その各ソフト情報６ａ１／１０〜ソフト情報６ａ１０／１０が何番目のデータであるかを示すデータを含んでいる。
【００２７】
また、図４に示すソフトＣＨ５ａでは、ソフト情報６ａを４個送信するごとに１回待受用情報９ａを周期的に配置して送信している。待受用情報９ａとは通信端末１ａが通常の待ち受け動作中に受信する情報と同じ情報を含んでおり、この待受用情報９ａをソフトＣＨ５ａ内に配置することによって、ソフトウェアを受信している途中であっても、音声着信やパケット着信を受信することを可能としている。
【００２８】
次にソフトＣＨ５ａのソフト情報６ａを受信するＡ社通信端末１ａの動作について図５を参照して説明する。
【００２９】
Ａ社通信端末１ａは、基地局２ａに対してソフトＣＨ５ａへ遷移することを通知した後、ソフトＣＨ５ａの受信に遷移し、ソフトＣＨ５ａのソフト情報６ａの受信を開始する。このとき、基地局２ａは、Ａ社通信端末１ａに関わらず、ソフトＣＨ５ａを使ってソフト情報６ａを繰り返し配信し続けているので、Ａ社通信端末１ａが最初に受信するソフト情報６ａは必ずしも順番通りに最初から受信する必要はない。
【００３０】
図５の例では、Ａ社通信端末１ａがソフトＣＨ５ａのソフト情報６ａ３／１０から受信を開始した場合を示している。Ａ社通信端末１ａにとって最初のソフト情報６ａ３／１０に含まれる情報から、ソフト情報６ａが１０分割されていることと最初に受信したソフト情報６ａ３／１０がソフト情報６ａの中の３番目の情報であることを認識することができる。その後は順番にソフト情報６ａ４／１０、ソフト情報６ａ５／１０と受信し、受信した情報をＡ社通信端末１ａの一時格納領域に格納していく。
【００３１】
Ａ社通信端末１ａがソフト情報６ａを受信中に待受用情報９ａを受信するが、Ａ社通信端末１ａに対する音声着信やパケット着信の通知がない場合には、Ａ社通信端末1ａは待受用情報９ａを無視し、待受用情報９ａの後に送信されるソフト情報６ａ６／１０以降を受信してＡ社通信端末１ａの一時格納領域に順番に格納していき、ソフト情報６ａ２／１０まで受信したら、通常の待ち受け動作を行う周波数に遷移するとともに、通常の待ち受け動作を行う周波数に遷移したことを基地局２ａに通知する。
【００３２】
次に、Ａ社通信端末１ａがソフトＣＨ５ａでソフト情報６ａを受信している最中に、当該端末宛ての音声着信やパケット着信の通知を受けた場合の動作について図６を参照して説明する。
【００３３】
Ａ社通信端末１ａは、ソフト情報６ａを受信している最中に待受用情報９ａを周期的に受信しているが、この待受用情報９ａにＡ社通信端末１ａに対する音声着信やパケット着信の通知が含まれていた場合、Ａ社通信端末１ａはソフトＣＨ５ａでのソフト情報６ａの受信を一時中断し、音声着信やパケット着信に対する応答を優先的に開始する。但し、ソフト情報６ａの受信を中断する直前までに受信していたソフト情報６ａ３／１０〜ソフト情報６ａ４／１０は保持しておき、音声通信やパケット通信が終了したら、ソフト情報６ａの受信を再開し、ソフト情報６ａ１／１０〜ソフト情報６ａ１０／１０の全てを受信するまで、ソフトＣＨ５ａの受信を繰り返す。
【００３４】
このように本発明の実施例では、基地局２ａが常時ソフトＣＨ５ａからソフト情報６ａを配信するように構成しているため、１つの基地局から当該基地局エリア内の複数の通信端末に対して、ソフト情報を同時に配信することができる。
【００３５】
また、本発明の実施例では、基地局２ａは複数の周波数を制御することができるので、トラフィック状況に応じてソフト情報を配信するソフトＣＨ数を増やしたり、減らしたりすることもできる。
【００３６】
図７は、本実施形態におけるソフトＣＨ５ａの他の構成例を示している。この実施例のように、基地局２ａから配信するソフトＣＨ５ｂから待受用情報をなくすことも可能である。
【００３７】
この実施例では、通信端末がソフトＣＨ５ｂの受信に遷移してソフト情報６ｂを受信している最中は、音声着信やパケット着信の通知を受けることができなくなるが、通信端末はソフト情報６ｂの受信に専念できるので、ソフト情報を受信する時間を最小限にすることが可能となる。
【００３８】
また、図８は、本実施形態におけるソフトＣＨ５ａの更に他の構成例を示している。図８に示すソフトＣＨ５ｃの構成のように、基地局２ａから配信するソフトＣＨ５ｃの構成にソフトＣＨ構成情報１０ｃを追加することによって、通信端末がソフト情報６ｃを受信中であってもソフトＣＨ５ｃのデータ構成を変更することができる。
【００３９】
この実施例は、例えば、基地局２ａから配信されるソフト情報６ｃを受信している通信端末が急に増加した場合や減少した場合であっても、待受用情報の配信頻度を変更することによって、音声着信やパケット着信に影響を与えることがないような対策を基地局２ａにおいて実行することを可能とするものである。
【図面の簡単な説明】
【００４０】
【図１】本発明の実施形態を示すネットワーク構成図である。
【図２】本実施形態の動作を示すシーケンスチャートである。
【図３】本実施形態の報知情報に含まれているソフトＣＨ情報８ａの構成例を示す図である。
【図４】本実施形態におけるソフトＣＨ５ａの構成例を示す図である。
【図５】本実施形態におけるソフトＣＨ５ａのソフト情報６ａを受信する通信端末の動作説明図である。
【図６】本実施形態におけるソフトＣＨ５ａのソフト情報６ａを受信する通信端末の動作説明図である。
【図７】本実施形態におけるソフトＣＨ５ａの他の構成例を示す図である。
【図８】本実施形態におけるソフトＣＨ５ａの更に他の構成例を示す図である。
【符号の説明】
【００４１】
１ａ〜１ｂ  通信端末
２ａ〜２ｂ  基地局
３ａ  無線システムネットワーク
４ａ  ソフトウェアモジュールサーバ
【図１】
2005251028.tif 000003
【図２】
2005251028.tif 000004
【図３】
2005251028.tif 000005
【図４】
2005251028.tif 000006
【図５】
2005251028.tif 000007
【図６】
2005251028.tif 000008
【図７】
2005251028.tif 000009
【図８】
2005251028.tif 000010